【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
揮発した薬剤を放出するための開孔部を有するケースと、揮発性薬剤を含浸させたハニカムシートをベースシート間に挟み込んだハニカムシート挟持体とを備え、該ハニカムシート挟持体が、ハニカムシートが広げられた状態でケース内に収納されていることを特徴とする薬剤揮散器。
【請求項２】
揮発した薬剤を放出するための開孔部と、少なくとも対向する２箇所に設けられた押し当て部とを有するケースと、
両端部同士が接続されたベースシート間または二つ折りにされて自由端同士が接続されたベースシート間に挟み込まれ、ベースシートの中間部を外側へ湾曲させることで広げられるハニカムシートに揮発性薬剤を含浸させたハニカムシート挟持体とを備え、
前記押し当て部間の長さより長いハニカムシート挟持体が、両端が前記押し当て部にそれぞれ押し当てられて、ベースシートが外側に湾曲されてハニカムシートが広げられた状態で前記ケース内に収納されていることを特徴とする薬剤揮散器。
【請求項３】
少なくとも一方の押し当て部付近の側面に、ハニカムシート挟持体をケース内に差し込むことができる差し込み口が設けられていることを特徴とする請求項２に記載の薬剤揮散器。
【請求項４】
ケースが合成樹脂で構成されていることを特徴とする請求項２または３に記載の薬剤揮散器。
【請求項５】
ケースの押し当て部が相対向するコーナー部で、少なくとも一方のコーナー部に吊り下げ部を有することを特徴とする請求項２〜４のいずれか１項に記載の薬剤揮散器。
【請求項６】
揮発した薬剤を放出するための開孔部を有するケース内に、揮発性薬剤を含浸させたハニカムシートをベースシート間に挟み込んだハニカムシート挟持体を、ハニカムシートを広げた状態で収納することで、ハニカムシートに含浸させた揮発性薬剤を揮散させることを特徴とする薬剤揮散方法。
【請求項７】
揮発した薬剤を放出するための開孔部と、少なくとも対向する２箇所に設けられた押し当て部とを有するケース内に、
両端部同士が接続されたベースシート間または二つ折りにされて自由端同士が接続されたベースシート間に、揮発性薬剤を含浸させたハニカムシートを挟み込んでおり、しかも前記押し当て部間の長さより長いハニカムシート挟持体を、
当該ハニカムシート挟持体の両端を前記押し当て部にそれぞれ押し当て、ベースシートの中間部を外側への湾曲させることでハニカムシートを広げた状態で収納することで、ハニカムシートに含浸させた揮発性薬剤を揮散させることを特徴とする薬剤揮散方法。
【手続補正２】
【補正対象書類名】明細書
【補正対象項目名】０００８
【補正方法】変更
【補正の内容】
【０００８】
本発明は、第１に、揮発した薬剤を放出するための開孔部を有するケースと、揮発性薬剤を含浸させたハニカムシートをベースシート間に挟み込んだハニカムシート挟持体とを備え、該ハニカムシート挟持体が、ハニカムシートが広げられた状態でケース内に収納されていることを特徴とする薬剤揮散器を提供するものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明は、第２に、揮発した薬剤を放出するための開孔部と、少なくとも対向する２箇所に設けられた押し当て部とを有するケースと、
両端部同士が接続されたベースシート間または二つ折りにされて自由端同士が接続されたベースシート間に挟み込まれ、ベースシートの中間部を外側への湾曲させることで広げられるハニカムシートに揮発性薬剤を含浸させたハニカムシート挟持体とを備え、
前記押し当て部間の長さより長いハニカムシート挟持体が、両端が前記押し当て部にそれぞれ押し当てられて、ベースシートが外側に湾曲されてハニカムシートが広げられた状態で前記ケース内に収納されていることを特徴とする薬剤揮散器を提供するものである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、本発明は、第３に、揮発した薬剤を放出するための開孔部を有するケース内に、揮発性薬剤を含浸させたハニカムシートをベースシート間に挟み込んだハニカムシート挟持体を、ハニカムシートを広げた状態で収納することで、ハニカムシートに含浸させた揮発性薬剤を揮散させることを特徴とする薬剤揮散方法を提供するものでもある。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
更に本発明は、第４に、揮発した薬剤を放出するための開孔部と、少なくとも対向する２箇所に設けられた押し当て部とを有するケース内に、
両端部同士が接続されたベースシート間または二つ折りにされて自由端同士が接続されたベースシート間に、揮発性薬剤を含浸させたハニカムシートを挟み込んでおり、しかも前記押し当て部間の長さより長いハニカムシート挟持体を、
当該ハニカムシート挟持体の両端を前記押し当て部にそれぞれ押し当て、ベースシートの中間部を外側への湾曲させることでハニカムシートを広げた状態で収納することで、ハニカムシートに含浸させた揮発性薬剤を揮散させることを特徴とする薬剤揮散方法を提供するものである。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１９
【補正方法】変更
【補正の内容】
【００１９】
本発明の効果は以下の通りである。
【手続補正１３】
【補正対象書類名】明細書
【補正対象項目名】００２０
【補正方法】変更
【補正の内容】
【００２０】
ハニカムシート挟持体の一端を持ってその他端をケースの一方の押し当て部に押し付け、ベースシートを外側に湾曲させながら、手に持った側の端部を他方の押し当て部に押し当てることで、ハニカムシート挟持体をケースへセットすることができる。つまり、予めハニカムシートを広げてからケース内に入れるのではなく、ケースへのセットと同時にベースシートを外側に湾曲させてハニカムシートを広げることができるので、ケースへのセット時にハニカムシートに手指が触れる危険を最小限に抑えることができる。また、セット後は、ハニカムシートがケースで保護されるので、ハニカムシートへの手指の接触防止が確実となる。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】変更
【補正の内容】
【００２６】
以下、本発明に係る薬剤揮散器および薬剤揮散方法を説明する。
【手続補正１９】
【補正対象書類名】明細書
【補正対象項目名】００２７
【補正方法】変更
【補正の内容】
【００２７】
（１）本発明に係る薬剤揮散器および薬剤揮散方法
本発明を図面に基づいて説明する。なお、各図面中の同じ符号は同様の部材または部位を示す。また、実線の引き出し線は、図面上、外表面に現れている部材または部位を示し、破線の引き出し線は、図面上、以下に説明する透明なケースを介して現れている部材または部位または隠れ線で表示された部材または部位を示す。
【手続補正２０】
【補正対象書類名】明細書
【補正対象項目名】００２８
【補正方法】変更
【補正の内容】
【００２８】
図１は、本発明に係る薬剤揮散器の第１の例を示す斜視図、図２は、両端を接合する前のベースシートとハニカムシートの積層体を広げた状態の中央部を省略した側面図、図３は、ハニカムシート挟持体の中央部を省略した側面図、図４は、ケースの斜視図、図５は、ケース内へハニカムシート挟持体をセットする途中段階の斜視図、図６は販売時のケースの好ましい状態を示す斜視図である。
【手続補正２１】
【補正対象書類名】明細書
【補正対象項目名】００４７
【補正方法】変更
【補正の内容】
【００４７】
図７は、本発明について使用することができるハニカムシート挟持体の他の例を示す側面図である。
【手続補正２２】
【補正対象書類名】明細書
【補正対象項目名】００４９
【補正方法】変更
【補正の内容】
【００４９】
図８は、本発明に係る薬剤揮散器の第２の例を示す斜視図である。
【手続補正２３】
【補正対象書類名】明細書
【補正対象項目名】００５１
【補正方法】変更
【補正の内容】
【００５１】
図９は、本発明に係る薬剤揮散器の第３の例を示す斜視図である。
【手続補正２４】
【補正対象書類名】明細書
【補正対象項目名】００５３
【補正方法】変更
【補正の内容】
【００５３】
（２）第１の参考例に係る薬剤揮散器および薬剤揮散方法
第１の参考例を図面に基づいて更に説明する。なお、各図面中の同じ符号は同様の部材または部位を示す。
【手続補正２５】
【補正対象書類名】明細書
【補正対象項目名】００５４
【補正方法】変更
【補正の内容】
【００５４】
図１０は、本発明の第１の参考例に係る薬剤揮散器の一例を示す図で、（ａ）は組み立てられた状態の正面図、（ｂ）は組み立てられた状態の左側面図、図１１は、図１０に示される薬剤揮散器の拡大平面図、図１２は図１（ａ）におけるＡ−Ａ’拡大断面図、図１３は、ハニカムシート挟持体の中央部を省略した側面図、図１４は、ケースの展開図、図１５は、図１０に示される薬剤容器の折り畳まれた状態の左側面図、図１６は、図１５の折り畳み状態から拡径させた状態の左側面図、図１７は、図１５の状態の拡大平面図である。
【手続補正２６】
【補正対象書類名】明細書
【補正対象項目名】００５９
【補正方法】変更
【補正の内容】
【００５９】
本例におけるハニカムシート４は、ベースシート３，３間に挟持させたハニカムシート挟持体１としてではなく、単独でケース２（図１０参照）内に設けることもできるが、ベースシート３，３で挟んだハニカムシート挟持体１としておくと、製造作業における取り扱い性が向上し、製造が容易となるので好ましい。
【手続補正２７】
【補正対象書類名】明細書
【補正対象項目名】００７４
【補正方法】変更
【補正の内容】
【００７４】
図１８は、第１の参考例について使用することができるハニカムシート挟持体の他の例を示す側面図である。
【手続補正２８】
【補正対象書類名】明細書
【補正対象項目名】００７６
【補正方法】変更
【補正の内容】
【００７６】
（３）第２の参考例に係る薬剤揮散器および薬剤揮散方法
第２の参考例を図面に基づいて更に説明する。なお、各図面中の同じ符号は同様の部材または部位を示す。また、実線の引き出し線は、図面上、外表面に現れている部材または部位を示し、破線の引き出し線は、図面上、以下に説明する透明なケースを介して現れている部材または部位もしくは隠れ線で表示された部材または部位を示す。
【手続補正２９】
【補正対象書類名】明細書
【補正対象項目名】００７７
【補正方法】変更
【補正の内容】
【００７７】
図１９は、第２の参考例に係る薬剤揮散器の第１の例を示す正面図、図２０は、両端を接合する前のベースシートとハニカムシートの積層体を広げた状態の中央部を省略した側面図、図２１は、ハニカムシート挟持体の中央部を省略した側面図、図２２は、ケースの斜視図、図２３は、図１９に示される薬剤揮散器のハニカムシートを広げる前の斜視図、図２４は販売時のケースとハニカムシート挟持体の好ましい状態を示す斜視図である。
【手続補正３０】
【補正対象書類名】明細書
【補正対象項目名】００９２
【補正方法】変更
【補正の内容】
【００９２】
図２４は、第２の参考例について使用することができるハニカムシート挟持体の他の例を示す側面図である。
【手続補正３１】
【補正対象書類名】明細書
【補正対象項目名】００９４
【補正方法】変更
【補正の内容】
【００９４】
図２５は、第２の参考例に係る薬剤揮散器の第２の例を示す斜視図である。
【手続補正３２】
【補正対象書類名】明細書
【補正対象項目名】００９６
【補正方法】変更
【補正の内容】
【００９６】
【図１】本発明に係る薬剤揮散器の第１の例を示す斜視図である。
【図２】ベースシートとハニカムシートの積層体を広げた状態の中央部を省略した側面図である。
【図３】ハニカムシート挟持体の中央部を省略した側面図である。
【図４】ケースの斜視図である。
【図５】ケース内へハニカムシート挟持体をセットする途中段階の斜視図である。
【図６】販売時のケースの好ましい状態を示す斜視図である。
【図７】本発明について使用することができるハニカムシート挟持体の他の例を示す側面図である。
【図８】本発明に係る薬剤揮散器の第２の例を示す斜視図である。
【図９】本発明に係る薬剤揮散器の第３の例を示す斜視図である。
【図１０】第１の参考例に係る薬剤揮散器の一例を示す図で、（ａ）は組み立てられた状態の正面図、（ｂ）は組み立てられた状態の左側面図である。
【図１１】図１０に示される薬剤揮散器の拡大平面図である。
【図１２】図１０（ａ）におけるＡ−Ａ’拡大断面図である。
【図１３】ハニカムシート挟持体の中央部を省略した側面図である。
【図１４】ケースの展開図である。
【図１５】図１０に示される薬剤容器の折り畳まれた状態の左側面図である。
【図１６】図１５の折り畳み状態から拡径させた状態の左側面図である。
【図１７】図１６の状態の拡大平面図である。
【図１８】第１の参考例について使用することができるハニカムシート挟持体の他の例を示す側面図である。
【図１９】第２の参考例に係る薬剤揮散器の第１の例を示す斜視図である。
【図２０】両端を接合する前のベースシートとハニカムシートの積層体を広げた状態の中央部を省略した側面図である。
【図２１】ケースの斜視図である。
【図２２】図１９に示される薬剤揮散器のハニカムシートを広げる前の斜視図である。
【図２３】販売時のケースとハニカムシート挟持体の好ましい状態を示す斜視図である。
【図２４】第２の参考例について使用することができるハニカムシート挟持体の他の例を示す側面図である。
【図２５】第２の参考例に係る薬剤揮散器の第２の例を示す斜視図である。